(57)【特許請求の範囲】
【請求項１】
往復刃であって、
刃本体と、
前記刃本体の一端に位置する中子とを備え、
前記刃本体は、前記中子に対して前記刃本体の反対側の端部に位置し、長さと、先端と、前記刃本体を通って延在して互いに軸方向に間隔を空けられた複数の開口と、を有する遠位部分と、
前記中子と前記遠位部分との間に延在し、長さを有する第１の部分と、
前記中子と前記先端との間において前記刃本体に沿って延在する切断縁とを含み、
前記第１の部分は中実であり、
前記遠位部分の前記長さは、前記第１の部分の長さ未満であり、
前記往復刃の質量中心は、前記遠位部分の外側に位置する、往復刃。
【請求項２】
前記複数の開口は前記遠位部分の前記長さに沿って延在する、請求項１に記載の往復刃。
【請求項３】
前記刃本体は長さを有し、前記遠位部分の前記長さは前記刃本体の前記長さの２／５以下である、請求項１に記載の往復刃。
【請求項４】
前記第１の部分は第１の最小幅を有し、前記遠位部分は第２の最小幅を有し、前記第２の最小幅は、前記第１の最小幅の２／３以上である、請求項１に記載の往復刃。
【請求項５】
前記第１の部分は第１の最小幅を有し、前記遠位部分は第２の最小幅を有し、前記第２の最小幅は、前記第１の最小幅の３／４以上である、請求項１に記載の往復刃。
【請求項６】
前記第１の部分は第１の最小幅を有し、前記遠位部分は第２の最小幅を有し、前記第２の最小幅は、前記第１の最小幅の７／８以上である、請求項１に記載の往復刃。
【請求項７】
前記第１の部分は第１の最小幅を有し、前記遠位部分は第２の最小幅を有し、前記第２の最小幅は前記第１の最小幅よりも小さい、請求項１に記載の往復刃。
【請求項８】
前記第１の部分は第１の最小幅を有し、前記遠位部分は第２の最小幅を有し、前記第２の最小幅は前記第１の最小幅と等しい、請求項１に記載の往復刃。
【請求項９】
前記遠位部分は最小幅を有し、前記複数の開口はそれぞれ前記遠位部分の前記最小幅の２／５以上にわたって延在する、請求項１に記載の往復刃。
【請求項１０】
前記遠位部分は最小幅を有し、前記複数の開口はそれぞれ前記遠位部分の前記最小幅の３／５以上にわたって延在する、請求項１に記載の往復刃。
【請求項１１】
前記遠位部分は最小幅を有し、前記複数の開口はそれぞれ前記遠位部分の前記最小幅の４／５以上にわたって延在する、請求項１に記載の往復刃。
【請求項１２】
前記切断縁は、主にワークピースに係合する複数の歯を有する切断領域を含み、前記切断領域は前記遠位部分の外側に位置する、請求項１に記載の往復刃。
【請求項１３】
前記切断縁は、前記中子から前記先端に連続して延在する複数の歯を含む、請求項１に記載の往復刃。
【発明の詳細な説明】
【技術分野】
【０００１】
関連出願への相互参照
この特許出願は、２０１３年６月１８日に出願された同様の名称の米国特許仮出願第６１／８３６，５０２号の利益を３５Ｕ．Ｓ．Ｃ１１９条に基づいて主張するものであり、その内容の全体が本開示の一部として引用によりここに援用される。
【０００２】
発明の分野
本発明は、往復刃に関し、より特定的には、刃の遠位部分における単位面積あたりの質量を刃の残りの部分と比して減少させる、および／または切断時の刃の遠位部分における揺動もしくは振動を減少させる開口または他の特徴を有する往復刃に関する。
【背景技術】
【０００３】
背景情報
同じ用途において切断を行った場合、短い往復刃は、長い往復刃よりも長持ちする傾向にある。切断時において、刃の遠位部分は、左右方向もしくは横方向に揺動もしくは震動される傾向があり、より刃が長ければ、遠位部分が震動する傾向がより大きくなる。刃の揺動もしくは震動部分がワークピースに入ると、刃の側部が切り溝に係合し、揺動もしくは震動レベルに応じて横荷重が加わる。このタイプの歯への横荷重、および／または振動もしくは震動は、非生産的なものとなり、刃の寿命が所望の寿命よりも短くなり得る。
【０００４】
本発明の目的は、先行技術の上記の欠点および／または不都合のうち１つ以上を克服することにある。
【発明の概要】
【課題を解決するための手段】
【０００５】
発明の概要
一局面に従えば、本発明は、刃本体と刃本体の少なくとも一方の端部に位置する中子とを含む往復刃を対象とする。刃本体は、中子に対して刃本体の反対側の端部に位置する遠位部分を含む。遠位部分は先端および刃本体を通って延在する少なくとも１つの開口を規定する。切断縁は、中子と先端との間において刃本体に沿って延在する。
【０００６】
本発明の一部の実施形態において、少なくとも１つの開口は、刃本体の遠位部分における単位面積あたりの質量を刃本体の残りの部分と比して減少させる。
【０００７】
本発明の一部の実施形態において、遠位部分は長さを規定し、少なくとも１つの開口は実質的に遠位部分の長さに沿って延在する。一部のこのような実施形態において、刃本体は長さを規定し、遠位部分の長さは、刃本体の長さの約３／５以下であるのが好ましく、刃本体の長さの約１／２以下であるのがより好ましく、刃本体の長さの約２／５以下であるのがさらに好ましい。
【０００８】
本発明の一部の実施形態において、刃本体は、互いに軸方向に間隔を空けられて実質的に遠位部分の長さに沿って延在する複数の開口を規定する。
【０００９】
本発明の一部の実施形態において、刃本体は、中子と遠位部分との間に延在する第１の部分を規定し、刃本体の第１の部分は実質的に中実である。一部のこのような実施形態において、第１の部分は第１の最小幅を規定し、遠位部分は第２の最小幅を規定する。第２の最小幅は、第１の最小幅の約２／３以上であるのが好ましく、第１の最小幅の約３／４以上であるのがより好ましく、第１の最小幅の約７／８以上であるのがさらに好ましい。
【００１０】
本発明の一部の実施形態において、遠位部分は幅を規定し、少なくとも１つの開口は遠位部分の幅の約２／５以上にわたって延在するのが好ましく、遠位部分の幅の約３／５以上にわたって延在するのがより好ましく、遠位部分の幅の約４／５以上にわたって延在するのがさらに好ましい。
【００１１】
本発明の一部の実施形態において、切断縁は主にワークピースと係合する歯によって規定される切断領域を含み、切断領域は刃の遠位部分の実質的に外側に位置する。
【００１２】
本発明の一部の実施形態において、往復刃は金属切断往復刃であり、刃は金属ワークピースを切断するように構成された複数の歯を含む。
【００１３】
他の局面に従えば、本発明は、刃本体と刃本体の少なくとも一端に位置する中子とを含む往復刃を対象とする。刃本体は、中子に対して刃本体の反対側の端部に位置して先端を規定する遠位部分と、中子と遠位部分との間に延在する第１の部分と、第１の部分に比して遠位部分の単位面積あたりの質量を減少させるための手段と、中子と先端との間において刃本体に沿って延在する切断縁とを含む。本発明の一部の実施形態において、単位面積あたりの質量を減少させるための手段は、刃本体の遠位部分を通って延在する少なくとも１つの開口である。
【００１４】
本発明の１つの利点は、少なくとも１つの開口または他の手段が刃本体の遠位部分における単位面積あたりの質量を減少させ、これに伴って刃本体の遠位部分の揺動もしくは震動が減少し、刃の寿命が延びる点にある。
【００１５】
本発明および／または本発明の現時点で好ましい実施形態の他の目的および利点は、現時点で好ましい実施形態および添付の図面についての以下の詳細な説明を考慮してより容易に理解される。
【図面の簡単な説明】
【００１６】
【図１】本発明の往復刃を示す側面図である。
【図２】往復刃の代替的な実施形態を示す側面図である。
【発明を実施するための形態】
【００１７】
好ましい実施形態の詳細な説明
図１において、本発明を表わす往復刃の実施形態は、概して参照符号１０によって示される。往復刃１０は、刃本体１２と刃本体１２の一方の端部に位置する中子１４とを含む。刃本体１２は、中子１４に対して刃本体１２の反対側の端部に位置する遠位部分１６を含み、先端１８と刃本体１２を通って延在する少なくとも１つの開口２０とを規定する。中子１４は、中子基部２２と中子１４を通って延在する中子開口２４とを含む。また、往復刃１０は、中子１４と先端１８との間において本体１２に沿って延在する切断縁２６を含む。一部の実施形態において、往復刃１０は金属切断往復刃であり、切断縁２６は、関連技術の当業者によって知られた方法で金属ワークピースを切断するように構成される複数の歯２８を含む。しかしながら、本願明細書における教示に基づいて関連技術における当業者によって認識され得るように、切断縁２６は、現在知られている、または後に知られる多くの異なる構成のいずれかを採り得て、たとえば、バイメタル金属切断歯もしくはカーボンチップ歯、ならびに多くの異なる形態、ピッチパターン、セットパターン、および／または構成のいずれかからなる歯を含む。
【００１８】
開口２０は、限定されないが、パンチング、レーザー切断、または水ジェット切断を含む様々な方法で形成され得て、歯本体１２の遠位部分１６の単位面積あたりの質量を歯本体１２の残りの部分と比して減少させる。これにより、往復体１０の質量中心が遠位部分１６から離れて移動し、使用時における振動の減少が補助される。使用時における振動を減少させることにより、往復刃１０の寿命が長くなり得る。
【００１９】
示される実施形態において、刃本体１２は約１５２ミリメートル（１５２ｍｍ）（すなわち、約６インチ（６ｉｎ．））の長さ「Ｌ１」を規定し、遠位部分１６は約５０ミリメートル（５０ｍｍ）（すなわち、約２インチ（２ｉｎ．））の長さ「Ｌ２」を規定し、切断縁は約５４ミリメートル（５４ｍｍ）（すなわち、ほぼ５と８分の１インチ（５−１／８ｉｎ．））の長さ「Ｌ３」を規定する。しかしながら、本願明細書における教示に基づいて関連技術における当業者によって認識され得るように、これらの寸法は単に例示であって、必要な場合あるいは他に求められる場合は変更され得る。
【００２０】
示される実施形態において、開口２０は、実質的に遠位部分１６の長さＬ２に沿って延在する。一部のこのような実施形態において、遠位部分１６の長さＬ２は、刃本体１２の長さＬ１の約５分の３（３／５）以下であるのが好ましく、刃本体１２の長さＬ１の約２分の１（１／２）以下であるのがより好ましく、刃本体１２の長さＬ１の約５分の２（２／５）以下であるのがさらに好ましい。
【００２１】
刃本体１２は、中子１４と遠位部分１６との間に延在する第１の部分３０を規定する。切断縁２６は、主にワークピース（図示せず）に係合する歯２８によって規定される切断領域３２を含む。切断領域３２は、刃本体１２の遠位部分１６の実質的に外側に位置し、切断領域３２の完全に外側に位置するのが好ましい。代替的に、開口２０は、切断領域３２の実質的に外側に位置するのが好ましく、切断領域３２の完全に外側に位置するのが好ましい。示される実施形態において、第１の部分３０は実質的に中実である。しかしながら、本願明細書における教示に基づいて関連技術における当業者によって認識され得るように、第１の部分３０は、それでもなお第１の部分３０の単位面積あたりの質量が遠位部分１６の単位面積あたりの質量よりも十分に大きくなる１つ以上の開口を規定し得て、本発明の１つ以上の利点を実現する。
【００２２】
第１の部分３０は第１の最小幅Ｗ１を規定し、遠位部分１６は第２の最小幅Ｗ２を規定する。示される実施形態において、第１の最小幅Ｗ１は第２の最小幅Ｗ２にほぼ等しい。しかしながら、本願明細書における教示に基づいて関連技術における当業者によって認識され得るように、第１および第２の幅Ｗ１，Ｗ２は、望まれる場合または他に求められる場合には調整され得る。たとえば、一部の実施形態において、第２の最小幅Ｗ２は、第１の最小幅Ｗ１の約３分の２（２／３）以上であるのが好ましく、第１の最小幅Ｗ１の約４分の３（３／４）以上であるのがより好ましく、第１の最小幅Ｗ１の約８分の７（７／８）以上であるのがさらに好ましい。また、一部の実施形態において、開口２０は、遠位部分１６の第２の最小幅Ｗ２の約５分の２（２／５）以上を通って延在するのが好ましく、第２の最小幅Ｗ２の約５分の３（３／５）以上を通って延在するのがより好ましく、第２の最小幅Ｗ２の約５分の４（４／５）以上を通って延在するのがさらに好ましい。
【００２３】
本願明細書における教示に基づいて関連技術における当業者によって認識され得るように、追加および／または代替の特徴または構成が採用され得て、刃本体１２の遠位部分１６の単位面積あたりの質量が刃本体１２の第１の部分３０に比して減少される。たとえば、遠位部分１６の第２の最小幅Ｗ２は、刃本体１２の第１の部分３０の第１の最小幅Ｗ１よりも小さくすることができる。１つのこのような実施形態において、開口２０が除かれるが、遠位部分１６の単位面積あたりの質量が開口２０の形成される広い遠位部分とほぼ同じとなるように、第２の最小幅Ｗ２が十分に小さく設定される。
【００２４】
図２において、本発明を表す往復刃の他の実施形態が参照符号１００によって概して示される。往復刃１００は、図１と関連して記載される往復刃１０と実質的に同じであることから、数字「１」が先に付く同様の参照符号が同様の要素を示すのに使用される。往復刃１００は、複数の開口１２０を規定する遠位部分１１６を含む刃本体１１２を含む。見られるように、開口１２０は互いに軸方向に間隔を空けられて実質的に遠位部分１１６の長さに沿って延在する。示される実施形態において、遠位部分１１６は、実質的に中実の部分１２１を間に伴う３つの開口１２０を含む。しかしながら、本願明細書における教示に基づいて関連技術における当業者によって認識され得るように、遠位部分１１６は、様々な異なる形、サイズ、および／または構成のいずれかを採り得る任意の数の開口を含み得る。
【００２５】
本願明細書における教示に基づいて関連技術における当業者によって認識され得るように、多くの変更および変形が、請求項に規定された範囲を逸脱することなく、本発明の上述の実施形態または他の実施形態に対して行われ得る。たとえば、切断縁は、金属、木、または木と金属の組み合わせを切断（破壊など）するように構成され得る。加えて、遠位部分は、開口の多くの異なるタイプ、形状、および／もしくは構成のいずれかを規定し得る、ならびに／または刃本体の残りの部分の幅と比して多くの異なる幅のいずれかを規定し得て、たとえば、本発明の１つ以上の利点を実現するように所望のレベルに遠位部分の単位面積あたりの質量を減少させる。加えて、往復刃は、示されるように刃本体の一方の側部のみに切断縁を含み得る、または刃本体の互いに対向する側に切断縁を含み得る。このため、実施形態についての詳細な説明は限定でなく例示として理解される。
【図１】
0005941945.tif 000002
【図２】
0005941945.tif 000003